(57)【要約】【課題】重ね合わせ方式調髪鋏の提供。【解決手段】本発明は一種の重ね合わせ方式調髪鋏に関わるものである。主に、枢接部材により枢接された第１切れ刃と第２切れ刃を設け、第１切れ刃と第２切れ刃の底部にそれぞれ把手部を設け、各把手部に一定形状の第１側面と間隔を置いた向かい合う第２側面を有し、二つの側面に隣接した側面に外周面を設けて、一定厚みの把手部を構成する。把手部の第１側面に２枚以上の締結片を設ける。把手部は締結に合わせて切欠きを設け、締結片を切欠きに締結し、重ね合って数丁の調髪鋏を構成し、理髪師は片手で数丁の調髪鋏を同時に持って、調髪を行うことができる。【選択図】図１
2008067778.tif 000002
【特許請求の範囲】
【請求項１】
第１切れ刃を有し、
第２切れ刃を該第１切れ刃に枢接し、
二つ以上の切欠きを該第１切れ刃または第２切れ刃のいずれに設け、
１枚以上の締結片を該第１切れ刃または第２切れ刃のいずれに結合し、該締結片に二つの締結部を設け、各締結部に端面をそれぞれ設け、隣接した２丁の調髪鋏を重ね合わせた後、該締結片に備える二つの締結部の端面は、隣接した調髪鋏の二つの切欠きに固定されることを特徴とする重ね合わせ方式調髪鋏。
【請求項２】
該締結片の二つの締結部は逆Ｕ字型を形成することを特徴とする請求項１記載の重ね合わせ方式調髪鋏。
【請求項３】
該締結片は底板を有し、該底板に貫通孔を設け、該一つ以上の切れ刃にねじ孔を設け、締め付け部材は該貫通孔を通して、該ねじ孔に締めつけて、該締結片を該一つ以上の切れ刃に結合することを特徴とする請求項１記載の重ね合わせ方式調髪鋏。
【請求項４】
第１切れ刃を有し、
第２切れ刃を該第１切れ刃に枢接し、
二つ以上の切欠きを該第１切れ刃または第２切れ刃のいずれに設けて、該二つの切欠きに棒体をそれぞれ設け、
一つ以上の締結片を該第１切れ刃または第２切れ刃のいずれに設けて、該締結片に二つの弾性を持った締結部を設け、隣接した２丁の調髪鋏を重ね合わせた後、該締結片の二つの締結部を該二つの切欠きに締結し、該棒体を係止めることを特徴とする重ね合わせ方式調髪鋏。
【請求項５】
該締結片の二つの締結部はＶ字型を形成することを特徴とする請求項４記載の重ね合わせ方式調髪鋏。
【請求項６】
該締結片は底板を有し、該底板に貫通孔を設け、該一つ以上の切れ刃にねじ孔を設け、締め付け部材を該貫通孔に通した後、該ねじ孔に締めつけて、該締結片を該一つ以上の切れ刃に結合することを特徴とする請求項４記載の重ね合わせ方式調髪鋏。
【発明の詳細な説明】
【技術分野】
【０００１】
本発明は一種の重ね合わせ方式調髪鋏、特に一種の把手部に連結部材を設けて、任意に数丁の調髪鋏を重ね合わせる構造の発明に関わるものである。
【背景技術】
【０００２】
ヘアスタイル設計の多様化につれて、従来のスタイルはもはや各種ヘアスタイルの需要に間に合わない。修整、髪の量を薄くするまたは漸次な変化など調髪技能の運用をより敏捷、快速を図るため、片手で数丁の調髪鋏を持って、ヘアスタイルの修整は、趨勢と言える。
【０００３】
片手で数丁の調髪鋏を持って、髪の修整を操作することはある期間の訓練で慣れるが、しかし、調髪鋏の握り方について、公知技術は指もとまで調髪鋏の指挿入孔に挿入必要があるため、指の力量制御および外面に取り付けた調髪鋏が抜け出す欠点がある。一方、公知技術の調髪鋏の間隔を一定に維持または同時に開閉できない問題があるため、修整したヘアスタイルにばらつきを形成する欠点がある。
【０００４】
本発明者は公知技術の調髪鋏は、理髪師が数丁の調髪鋏を同時に操作できない問題点を鑑みて、研究改良した結果、調髪鋏を重ね合わせて使用する考案を特許文献１、特許文献２、および特許文献３に開示している。それらの調髪鋏構造は、主に調髪鋏の把手部に組み合わせるための連結片を設け、数丁の調髪鋏を並列し重ね合わせて、同時開閉の操作機能を有し、理髪師は片手で数丁の調髪鋏を持って、１丁の調髪鋏と同じく容易に調髪操作できる。
【０００５】
【特許文献１】米国特許６１９２５９０Ｂ１号明細書
【特許文献２】米国特許６４３４８３３Ｂ１号明細書
【特許文献３】米国特許６６３４１０６Ｂ２号明細書
【発明の開示】
【発明が解決しようとする課題】
【０００６】
本発明者は該重ね合わせた調髪鋏を理髪業者の使用、並びにさまざまな構造により、各レベルの利用者の操作に応えるため、本発明において、構造が単純、組み合わせが容易な調髪鋏を考案した。複数丁の調髪鋏の重ね合わせは実用効果にかなえる、一種の重ね合わせが便利な調髪鋏を提供することを本発明の主な目的である。
【０００７】
本発明は前記の目的を実現するため、主に、枢接部材により枢接された第１切れ刃と第２切れ刃を設け、第１切れ刃と第２切れ刃の底部にそれぞれ把手部を設け、各把手部に一定形状の第１側面と間隔を置き、隣接した第２側面を設ける。二つの側面に隣接した側面に外周面を設けて、一定厚みの把手部を構成する。把手部の側面に１枚以上の締結片を設ける。該一つ以上の締結片は把手部側面に締結する底板を設け、底板両側に二つの締結部を設ける。各把手部に備える締結片に切欠きを設け、締結片を切欠きに挿入し固定する。隣接した２丁の数丁の調髪鋏を重ね合わせる。
【０００８】
前記の締結片の締結部は、中央部に向かい屈折して逆Ｕ字型を形成する。一方、切欠きは締結部に合わせて、把手部の外周面に設け、締結片を切欠きに締結して、重ね合わせ方式により、隣接した２丁の調髪鋏を重ね合わせる。
【０００９】
前記の締結片は弾性金属部材を使用し、締結部はＶ字片形状を設ける。切欠き内部はさらに、棒体を設け、締結片の締結部を切欠きに締結した後、締結部は棒体により開けて、弾性のはさみ力量を形成し、重ね合わせ方式により、隣接した２丁の調髪鋏を重ね合わせる。
【００１０】
本発明の構造の特徴により、調髪鋏は数丁の調髪鋏を素早く、かつ、確実に組み立てることができる。理髪師は片手で数丁の調髪鋏を持って、調髪作業を実現するほか、本発明の構造が単純で、製造コストが低い長所がある。
【課題を解決するための手段】
【００１１】
請求項１の発明は、第１切れ刃を有し、
第２切れ刃を該第１切れ刃に枢接し、
二つ以上の切欠きを該第１切れ刃または第２切れ刃のいずれに設け、
１枚以上の締結片を該第１切れ刃または第２切れ刃のいずれに結合し、該締結片に二つの締結部を設け、各締結部に端面をそれぞれ設け、隣接した２丁の調髪鋏を重ね合わせた後、該締結片に備える二つの締結部の端面は、隣接した調髪鋏の二つの切欠きに固定されることを特徴とする重ね合わせ方式調髪鋏としている。
請求項２の発明は、該締結片の二つの締結部は逆Ｕ字型を形成することを特徴とする請求項１記載の重ね合わせ方式調髪鋏としている。
請求項３の発明は、該締結片は底板を有し、該底板に貫通孔を設け、該一つ以上の切れ刃にねじ孔を設け、締め付け部材は該貫通孔を通して、該ねじ孔に締めつけて、該締結片を該一つ以上の切れ刃に結合することを特徴とする請求項１記載の重ね合わせ方式調髪鋏としている。
請求項４の発明は、第１切れ刃を有し、
第２切れ刃を該第１切れ刃に枢接し、
二つ以上の切欠きを該第１切れ刃または第２切れ刃のいずれに設けて、該  二つの切欠きに棒体をそれぞれ設け、
一つ以上の締結片を該第１切れ刃または第２切れ刃のいずれに設けて、該締結片に二つの弾性を持った締結部を設け、隣接した２丁の調髪鋏を重ね合わせた後、該締結片の二つの締結部を該二つの切欠きに締結し、該棒体を係止めることを特徴とする重ね合わせ方式調髪鋏としている。
請求項５の発明は、該締結片の二つの締結部はＶ字型を形成することを特徴とする請求項４記載の重ね合わせ方式調髪鋏としている。
請求項６の発明は、該締結片は底板を有し、該底板に貫通孔を設け、該一つ以上の切れ刃にねじ孔を設け、締め付け部材を該貫通孔に通した後、該ねじ孔に締めつけて、該締結片を該一つ以上の切れ刃に結合することを特徴とする請求項４記載の重ね合わせ方式調髪鋏としている。
【発明の効果】
【００１２】
本発明重ね合わせ方式調髪鋏の特徴により、調髪鋏は数丁の調髪鋏を素早く、かつ、確実に組み立てることができる。理髪師は片手で数丁の調髪鋏を持って、調髪作業を実現するほか、本発明の構造が単純で、製造コストが低い長所がある。
【発明を実施するための最良の形態】
【００１３】
図１と図２に示すものは、本発明の実施例１である。図１は、本発明の実施例１の調髪鋏の立体外観図であり、図２は隣接した２丁の調髪鋏１、１ａを重ね合わせたときの局所立体動作図である。２丁の調髪鋏１、１ａは重ね合わせた第１切れ刃１１と第２切れ刃１２を有し、該２枚の切れ刃１１、１２の底部は拡大状の把手部１１１、１２１をそれぞれ延ばして設ける。各把手部１１１、１２１はさらに、縮小し細状を形成し、切れ刃に連結する首部１１０、１２０を設け、把手部１１１、１２１の裾部に指挿入孔１１２、１２２を設ける。２枚の切れ刃１１、１２が重なる区域は枢接部材１３により枢接しておく、理髪師の指挿入孔１１２、１２２に挿入し、２枚の切れ刃１１、１２の開閉操作により、調髪作業を行うことができる。
【００１４】
該調髪鋏１、１ａの把手部１１１、１２１は、一定形状の第１側面１１３、１２３および隣接した第２側面１１４、１２４、両側面１１３、１１４に隣接した二つの表面１１５、両側面１２３、１２４に隣接した二つの表面１２５より、一定厚みの把手部１１１、１２１を構成する。
【００１５】
本発明は主に一種の新しい組み合わせ構造を提供し、隣接した調髪鋏を組み合わせる。そのうち、調髪鋏１の一つ以上の把手部１１１、１２１に一つ以上の締結片２を設け、該締結片２は一つ以上の貫通孔２３を有する底板２１を設ける。底板２１両側に逆Ｕ字型の締結部２２をそれぞれ設け、各締結部２２は中央部に突き出した端面２２１を設ける。本発明の図示例は、二つの把手部１１１、１２１の第１側面１１３、１２３は締結片２の貫通孔２３に合わせて、ねじ孔１１８、１２８をそれぞれ設ける。締結片２は締め付け部材２４により、貫通孔２３を通して、ねじ孔１１８、１２８に締めつける。二つの把手部１１１、１２１の第１側面１１３、１２３は締結片２にそれぞれ連結する。
【００１６】
前記の調髪鋏１の把手部１１１、１２１はさらに締結片２に合わせて、切欠き１１６、１２６を設ける。本発明の図示例は、把手部１１１、１２１に備える二つの表面１１５、１２５を締結片２の切欠き１１６、１２６に合わせて設ける。図２から図４を合わせて参照する。そのうち、図３は本発明の実施例１の数丁の調髪鋏を重ね合わせ立体外観図であり、図４は図３の４-４線に沿った調髪鋏を重ね合わせた後の断面視図である。隣接した調髪鋏１、１ａを重ね合わせるとき、調髪鋏１ａの第１側面１１３、１２３をもう１丁の調髪鋏１の第２側面１１４、１２４当てておく、調髪鋏１ａの締結片２を切欠き１１６、１２６上方、把手部１１１、１２１の首部１１０、１２０に合わせる。このとき、調髪鋏１ａを下方へ押すことにより、締結片２の端面２２１をそれぞれの切欠き１１６、１２６に締結および固定し、隣接した２丁の調髪鋏１、１ａを重ね合わせることができる。よって、前記の手順を繰り返すことで、図３と図４に示すとおり、数丁の髪鋏１、１ａ、１ｂを重ね合わせることができる。
【００１７】
本発明の調髪鋏同士の重ね合わせは、前記構造のほか、さまざまな構造設計ができる(本実施例において、前記の実施例１に同様または同等な構成要素は、同じ符号を使用する)。引き続き、図５と図６に示すものは、本発明の実施例２である。そのうち、図５は本発明の本発明実施例２の立体外観図であり、図６は本発明実施例２の局所拡大立体外観図である。
【００１８】
本発明実施例２は主に締結片の設計変更である。そのうち、該締結片３に底板３１を設け、該底板３１に一つ以上の貫通孔３３を設けて、締め付け部材３４を通して締めつけることにより、締結片３は同じく、締め付け部材３４により、調髪鋏の把手部１１１の第１側面１１３、１２３ねじ孔１１８、１２８(図８)を備える場所に結合する。該締結片３の底板３１の両側に締結部３２を形成する。本実施例において、締結片３は弾性金属部材により薄い片設ける。二つの締結部３２は屈折して中央部突き出す端面３２１のＶ字片形状を設け、該二つの締結部３２に弾性を与える。切欠き１１６ａを二つの表面１１５と第２側面１１４の曲がり角に設け、切欠き１２６ａは二つの表面１２５と第２側面１２４の曲がり角に設ける。各切欠き１１６ａ、１２６ａの内部に円柱状の棒体１１７を穿設する。
【００１９】
図５、図７と図８を合わせて参照する。隣接した２丁の調髪鋏１、１ａを重ね合わせるとき、調髪鋏１ａの第１側面１１３、１２３を隣接した調髪鋏１の第２側面１１４、１２４に当てておく、締結片３の締結部３２を調髪鋏１の切欠き１１６ａ、１２６ａに合わせて、隣接した２丁の調髪鋏１、１ａを押すことにより、各締結片３の締結部３２は切欠き１１６ａ、１２６ａの棒体１１７の圧迫により広げて、切欠き１１６ａ、１２６ａに進入し、棒体１１７上(図８)に締結する。前記の手順を繰り返すことで、図７と図８に示すとおり、数丁の髪鋏１、１ａ、１ｂを重ね合わせることができる。
【００２０】
前記の実施例１と実施例２において、該締結片２、３は締め付け部材２４、３４とねじ孔１１８、１２８の締め付け結合により、調髪鋏を結合する。ただし、調髪鋏の締結片２、３は、ねじによる締め付け方式の結合に限られない。リベット接合、溶接接合、挿入接合、粘着接合またはその他方式を用いて、調髪鋏を結合することができる。
【００２１】
さらに、前記の実施例１と実施例２において、締結片２、３に備える二つの締結部と二つの切欠きを締結する。ただし、締結部と切欠きとの連結方式、数量は二つを限定しない。一つの締結部と一つの切欠きとの結合、または複数の締結部と複数の切欠きを組み合わせて連結しても良い。なお、締結部と切欠きとの結合形状または構造は、前記の実施例１と実施例２に開示された形態に限定しない。その他の変化形状、構造またはその他の形態による締結部と切欠きとの結合を実施しても良い。
【００２２】
本発明の構造により、数丁の調髪鋏を互いに重ね合わせて、使用のとき、同時に開閉操作できる。理髪師は片手で数丁の調髪鋏を持って、髪の毛修整を行う。その上、構造が単純で、調髪鋏の重ね合わせが簡単、迅速性を有し、本発明が設定した設計目的と実施効果を実現できる。
【図面の簡単な説明】
【００２３】
【図１】本発明の実施例１における立体外観図である。
【図２】本発明の実施例１における調髪鋏を重ね合わせた後の立体外観図である。
【図３】本発明の数丁の調髪鋏を重ね合わせた立体外観図である。
【図４】本発明図３の４-４線に沿った、数丁の調髪鋏を重ね合わせた後の断面図である。
【図５】本発明の実施例２における立体外観図である。
【図６】本発明の実施例２における局所拡大立体外観図である。
【図７】本発明の実施例２における調髪鋏を重ね合わせた後の立体外観図である。
【図８】本発明の図７の８-８に沿った断面図である。
【符号の説明】
【００２４】
１、１ａ、１ｂ  調髪鋏
１１  第１切れ刃
１１０、１２０  首部
１１１、１２１  把手部
１１２、１２２  指挿入孔
１１３、１２３  第１側面
１１４、１２４  第２側面
１１５  表面
１１６、１１６ａ、１２６、１２６ａ  切欠き
１１７  棒体
１１８、１２８  ねじ孔
１２  第２切れ刃
１２５  表面
１３  枢接部材
２、３、２２、３２  締結片
２１、３１  底板
２２１、３２１  端面
２３、３３  貫通孔
２４、３４  締め付け部材
【図１】
2008067778.tif 000003
【図２】
2008067778.tif 000004
【図３】
2008067778.tif 000005
【図４】
2008067778.tif 000006
【図５】
2008067778.tif 000007
【図６】
2008067778.tif 000008
【図７】
2008067778.tif 000009
【図８】
2008067778.tif 000010